(57)【要約】【課題】  一の情報端末を、複数の使用者が、各使用者に応じた動作環境で使用できるようにする。【解決手段】  生体情報入力装置１２に入力された生体情報を、設定情報管理装置１３に送信する。そして、設定情報管理装置１３は、設定情報データベース１４が記憶している生体情報のうち、受信した生体情報と合致する生体情報に対応づけられた設定情報を情報端末１１に送信する。情報端末１１は、受信した設定情報にもとづいて、動作環境を設定する。【選択図】  図１
2006113953.tif 000002
【特許請求の範囲】
【請求項１】
通信ネットワークを介して他の情報端末と通信する情報端末と、
前記情報端末に付随し、前記情報端末の使用者の身体の特徴を示す情報である生体情報を入力する生体情報入力装置と、
前記情報端末に設定される情報である設定情報を前記通信ネットワークを介して前記情報端末に送信する設定情報管理装置とを備え、
前記情報端末は、
前記生体情報入力装置に入力された生体情報を前記設定情報管理装置に送信し、設定情報を前記設定情報管理装置から受信する情報送受信手段と、
前記設定情報を前記情報送受信手段が受信すると、受信した設定情報にもとづいて、前記情報端末の動作環境を設定する動作環境設定手段とを含み、
前記設定情報管理装置は、前記情報端末から生体情報を受信すると、受信した生体情報に対応する設定情報を前記情報端末に送信する設定情報送信手段とを含む
ことを特徴とする情報端末設定管理システム。
【請求項２】
予め生体情報と設定情報とを対応づけて記憶している記憶装置を備え、
設定情報管理装置は、情報端末から生体情報を受信すると、受信した生体情報が前記記憶装置が記憶している生体情報と合致するか否か判断する判断手段を含み、
設定情報送信手段は、前記判断手段が、前記情報端末から受信した前記生体情報と前記記憶装置が記憶している生体情報とが合致すると判断すると、前記記憶装置が記憶している生体情報に対応づけられている設定情報を読み出して前記情報端末に送信する
請求項１記載の情報端末設定管理システム。
【請求項３】
生体情報入力装置に入力する生体情報および記憶装置が記憶している生体情報は、情報端末の使用者の顔画像である
請求項２記載の情報端末設定管理システム。
【請求項４】
記憶装置が記憶している設定情報は、電子メールアドレスおよびＩＰアドレスである
請求項１から請求項３のうちいずれか１項記載の情報端末設定管理システム。
【請求項５】
情報端末は、設定情報を記憶する記憶手段と、
使用者による情報端末の使用が終了したと判断した場合に、前記記憶手段が記憶している設定情報を削除する設定情報削除手段とを含む
請求項１から請求項４のうちいずれか１項記載の情報端末設定管理システム。
【請求項６】
情報端末は、位置を測定する位置測定手段を含み、
情報送受信手段は、前記位置測定手段が測定した位置を示す情報を、生体情報とともに設定情報管理装置に送信し、
前記設定情報管理装置は、同時または近接した時間内に、互いに地理的に離れた位置を示す情報とともに同じ生体情報を複数受信すると、前記情報端末の不正使用であると判断する不正使用判断手段と、
前記不正使用判断手段が情報端末の不正使用であると判断すると、情報端末の不正使用であることを示す警告を情報端末に発生させる指示を各々の情報端末に送信する警報指示送信手段とを含む
請求項１から請求項５のうちいずれか１項記載の情報端末設定管理システム。
【請求項７】
情報端末から身体の特徴を示す情報である生体情報を受信すると、予め生体情報と前記情報端末の動作環境を示す情報である設定情報とを対応づけて記憶している記憶装置が記憶している生体情報と、受信した生体情報と合致するか否か判断する判断手段と、
前記判断手段が、前記情報端末から受信した生体情報と前記記憶装置が記憶している生体情報とが合致すると判断すると、前記記憶装置が記憶している生体情報に対応づけられている設定情報を読み出して前記情報端末に送信する設定情報送信手段とを含む
ことを特徴とする情報端末設定管理装置。
【請求項８】
入力された身体の特徴を示す情報である生体情報を送信し、
前記生体情報を受信すると、記憶装置が予め記憶している生体情報と受信した生体情報とが合致するか否か判断し、
受信した前記生体情報と前記記憶装置が記憶している生体情報とが合致すると判断すると、前記記憶装置が記憶している生体情報に予め対応づけて記憶している、情報端末の動作環境を示す情報である設定情報を前記情報端末に送信し
前記設定情報受信すると、受信した前記設定情報にもとづいて、前記情報端末の設定を行う
ことを特徴とする情報端末設定方法。
【請求項９】
コンピュータに、
情報端末から身体の特徴を示す情報である生体情報を受信すると、予め生体情報と前記情報端末の動作環境を示す情報である設定情報とを対応づけて記憶している記憶装置が記憶している生体情報と、受信した生体情報とが合致するか否か判断させる判断処理と、
前記判断処理で、前記情報端末から受信した前記生体情報と前記記憶装置が記憶している生体情報とが合致すると判断すると、前記記憶装置が記憶している生体情報に対応づけられている設定情報を読み出して前記情報端末に送信させる設定情報送信処理とを実行させるための情報端末設定管理プログラム。
【発明の詳細な説明】
【技術分野】
【０００１】
本発明は、使用者に応じて情報端末の動作環境を設定する情報端末設定管理システム、情報端末設定管理装置、情報端末設定方法および情報端末設定管理プログラムに関する。
【背景技術】
【０００２】
オフィスや教育機関等において、各個人に作業環境を提供するためには、例えば、パーソナルコンピュータ等の情報端末と、机や椅子等の什器を１人に１台用意する必要がある。
【０００３】
また、オフィスや教育機関等において、空間を効率的に利用するためには、情報端末や什器の使用者を固定せず、複数の使用者が情報端末や什器を使用できることが望ましい。特に、外出勤務者が多いオフィス等では、そのような方法が有効である。しかし、情報端末を複数の使用者が使用する場合、使用者に応じて情報端末の設定を変更することが必要である。例えば、各使用者に割り当てられている電子メールアドレスやＩＰアドレスを使用者に合わせた設定にしないと、電子メールや、ファイルおよびスケジュールなどを共有するためのグループウェア等の機能を使用者が効果的に活用できない。しかし、情報端末の設定には、専門的な知識と、時間とを要する。
【０００４】
そのため、情報端末の使用者が、情報端末の設定を変更するために、情報端末の設定の情報を電磁的記憶媒体や、紙等の記憶媒体に記録し、情報端末の使用を開始するときに、情報端末の設定の情報を情報端末に入力する方法があるが、記憶媒体を紛失したり、盗難されたりする危険性がある。
【０００５】
そこで、ユーザ認証を行い、ユーザ認証に成功すると予め記憶している無線ＬＡＮの設定情報をユーザに提示するシステムが提案されている（例えば、特許文献１参照。）。
【０００６】
また、生体情報によるユーザ認証を外部のホームサーバ業者が管理するホームサーバが行い、ユーザ認証に成功すると予め記憶している外部ネットワークへの接続等の設定情報を内部ネットワークに接続された機器に送信するシステムが提案されている（例えば、特許文献２参照。）。
【０００７】
【特許文献１】特開２００４−１５２１１号公報  （段落００２２〜００２３、図１）
【特許文献２】特開２００４−２１６６６号公報  （段落００１２〜００１８、図１）
【発明の開示】
【発明が解決しようとする課題】
【０００８】
しかし、特許文献１に記載されている発明は、ユーザが複数の無線ＬＡＮシステムの間を渡り歩く際のパラメータ設定を問題にしている。従って、特許文献１に記載されているシステムでは、ユーザが提示されたパラメータ群の中から１つのパラメータを選択する必要がある。その結果、ユーザが設定情報を選択するため、手間がかかる。
【０００９】
また、特許文献２に記載されているシステムでは、サーバが各ユーザ端末の設定情報を集中して管理している。すると、ユーザ端末の専用使用者が日々変わるような状況において、各ユーザ端末の設定情報を柔軟に変更することは難しい。
【００１０】
そこで、本発明は、所定の期間において情報端末が１人の使用者に独占して使用されされ、所定期間が経過すると使用者が他者に変わるような状況において、使用者に応じて自動的に携帯端末の動作環境を設定することができる情報端末設定管理システム、情報端末設定管理装置、情報端末設定方法および情報端末設定管理プログラムを提供することを目的とする。
【課題を解決するための手段】
【００１１】
本発明による情報端末設定管理システムは、通信ネットワークを介して他の情報端末と通信する情報端末と、情報端末に付随し、情報端末の使用者の身体の特徴を示す情報である生体情報を入力する生体情報入力装置と、情報端末に設定される情報である設定情報を通信ネットワークを介して情報端末に送信する設定情報管理装置とを備え、情報端末は、生体情報入力装置に入力された生体情報を設定情報管理装置に送信し、設定情報を設定情報管理装置から受信する情報送受信手段と、設定情報を情報送受信手段が受信すると、受信した設定情報にもとづいて、情報端末の動作環境を設定する動作環境設定手段とを含み、設定情報管理装置は、情報端末から生体情報を受信すると、受信した生体情報に対応する設定情報を情報端末に送信する設定情報送信手段とを含むことを特徴とする。
【００１２】
予め生体情報と設定情報とを対応づけて記憶している記憶装置を備えてもよく、設定情報管理装置は、情報端末から生体情報を受信すると、受信した生体情報が記憶装置が記憶している生体情報と合致するか否か判断する判断手段を含んでもよく、設定情報送信手段は、判断手段が、情報端末から受信した生体情報と記憶装置が記憶している生体情報とが合致すると判断すると、記憶装置が記憶している生体情報に対応づけられている設定情報を読み出して情報端末に送信してもよい。そのような構成によれば、生体情報入力装置に入力された生体情報に対応づけられている設定情報にもとづいて、情報端末の動作環境を設定することができる。
【００１３】
生体情報入力装置に入力する生体情報および記憶装置が記憶している生体情報は、情報端末の使用者の顔画像であってもよい。
【００１４】
記憶装置が記憶している設定情報は、電子メールアドレスおよびＩＰアドレスであってもよい。
【００１５】
情報端末は、設定情報を記憶する記憶手段と、使用者による情報端末の使用が終了したと判断した場合に、記憶手段が記憶している設定情報を削除する設定情報削除手段とを含んでもよい。そのような構成によれば、情報端末が使用者による情報端末の使用が終了したと判断すると、記憶手段が記憶している設定情報を削除されるため、一の使用者の設定情報を他の使用者に知られることを防ぐことができる。
【００１６】
情報端末は、位置を測定する位置測定手段を含んでもよく、情報送受信手段は、位置測定手段が測定した位置を示す情報を、生体情報とともに設定情報管理装置に送信してもよく、設定情報管理装置は、同時または近接した時間内に、互いに地理的に離れた位置を示す情報とともに同じ生体情報を複数受信すると、情報端末の不正使用であると判断する不正使用判断手段と、不正使用判断手段が情報端末の不正使用であると判断すると、情報端末の不正使用であることを示す警告を情報端末に発生させる指示を各々の情報端末に送信する警報指示送信手段とを含んでもよい。そのような構成によれば、情報端末の不正使用や、複数の情報端末に同じ設定情報が送信されることを防ぐことができる。
【００１７】
本発明による情報端末設定管理装置は、情報端末から身体の特徴を示す情報である生体情報を受信すると、予め生体情報と情報端末の動作環境を示す情報である設定情報とを対応づけて記憶している記憶装置が記憶している生体情報と、受信した生体情報と合致するか否か判断する判断手段と、判断手段が、情報端末から受信した生体情報と記憶装置が記憶している生体情報とが合致すると判断すると、記憶装置が記憶している生体情報に対応づけられている設定情報を読み出して情報端末に送信する設定情報送信手段とを含むことを特徴とする。
【００１８】
本発明による情報端末設定方法は、入力された身体の特徴を示す情報である生体情報を送信し、生体情報を受信すると、記憶装置が予め記憶している生体情報と受信した生体情報とが合致するか否か判断し、受信した生体情報と記憶装置が記憶している生体情報とが合致すると判断すると、記憶装置が記憶している生体情報に予め対応づけて記憶している、情報端末の動作環境を示す情報である設定情報を情報端末に送信し設定情報受信すると、受信した設定情報にもとづいて、情報端末の設定を行うことを特徴とする。
【００１９】
本発明による情報端末設定管理プログラムは、コンピュータに、情報端末から身体の特徴を示す情報である生体情報を受信すると、予め生体情報と情報端末の動作環境を示す情報である設定情報とを対応づけて記憶している記憶装置が記憶している生体情報と、受信した生体情報とが合致するか否か判断させる判断処理と、判断処理で、情報端末から受信した生体情報と記憶装置が記憶している生体情報とが合致すると判断すると、記憶装置が記憶している生体情報に対応づけられている設定情報を読み出して情報端末に送信させる設定情報送信処理とを実行させることを特徴とする。
【発明の効果】
【００２０】
本発明は、情報端末の使用者の生体情報を用いて使用者を特定し、特定した使用者に応じて情報端末を設定するため、複数のユーザがそれぞれのユーザに応じた動作環境で一の情報端末を使用することができる。
【発明を実施するための最良の形態】
【００２１】
実施の形態１．
本発明の第１の実施の形態について、図面を参照して説明する。図１は、本発明の第１の実施の形態の一構成例を示す説明図である。
【００２２】
図１において、情報端末１１、情報端末２１および情報端末３１は、電子メールの送受信や、インターネットとの接続等を行う。設定情報データベース（記憶装置）１４は、各使用者ごとの情報端末１１の設定の情報である設定情報を、各使用者の身体の特徴を示す情報である生体情報と対応づけて記憶している。設定情報管理装置（情報端末設定管理装置）１３は、設定情報データベース１４が記憶している設定情報を読み出して情報端末１１に送信する。生体情報入力装置１２、生体情報入力装置２２および生体情報入力装置３２は、使用者の生体情報を入力する。通信ネットワーク１５は、例えば、ＬＡＮ（Ｌｏｃａｌ  Ａｒｅａ  Ｎｅｔｗｏｒｋ）によって実現され、情報端末１１と設定情報管理装置１３とを接続する。また、通信ネットワーク１５は、ゲートウェイ（図示せず）によってインターネットに接続され、各情報端末１１，２１，３１は、インターネットに接続可能である。
【００２３】
図１に示すシステムは、例えば、一企業内において構築されているシステムである。そして、各情報端末１１，２１，３１は、所定の期間において１人の使用者に独占して使用され、所定期間が経過すると各情報端末１１，２１，３１の使用者が他者に変わりうるような環境にある。所定の期間は例えば１日である。
【００２４】
設定情報データベース１４が記憶している生体情報は、例えば、各使用者の顔画像や、指紋画像、指や手のひらの静脈の画像、虹彩の画像、声紋等の情報である。また、設定情報データベース１４が記憶している設定情報は、電子メールアドレスやＩＰアドレス、情報端末１１において実行が制限される機能を示す情報等を含む情報である。図２は、設定情報データベース１４が記憶している生体情報と設定情報との例を示す説明図である。図２には、生体情報が２値化されたデータとして表現されている。
【００２５】
ここで、情報端末１１、情報端末２１または情報端末３１の使用者は、予め自分の顔画像等の生体情報を生体情報入力装置１２、生体情報入力装置２２または生体情報入力装置３２に入力する。そして、情報端末１１、情報端末２１または情報端末３１を操作して、生体情報入力装置１２、生体情報入力装置２２または生体情報入力装置３２に入力した生体情報と、使用者を特定する情報と、情報端末１１、情報端末２１または情報端末３１において使用を制限する機能を示す情報とを設定情報管理装置１３に送信させる。設定情報管理装置１３は、受信した生体情報と使用者を特定する情報と、使用を制限する機能を示す情報とを対応づけて設定情報データベース１４に記憶させる。
【００２６】
情報端末１１、情報端末２１および情報端末３１は、例えば、パーソナルコンピュータによって実現される。そして、情報送受信手段、動作環境設定手段および設定情報削除手段は、プログラムに従って処理を実行する情報端末１１、情報端末２１または情報端末３１のＣＰＵによって実現される。生体情報入力装置１２は、情報端末１１に接続されている。生体情報入力装置２２は、情報端末２１に接続されている。生体情報入力装置３２は、情報端末３１に接続されている。
【００２７】
生体情報入力装置１２、生体情報入力装置２２および生体情報入力装置３２は、例えば、デジタルカメラ等の画像入力装置や音声入力装置等によって実現され、この実施の形態では、生体情報入力装置１２の一例として画像入力装置を用いているものとする。設定情報データベース１４は、設定情報管理装置１３に接続されている。
【００２８】
情報端末１１は、生体情報入力装置１２に、例えば、使用者の顔画像等の生体情報が入力されると、入力された生体情報を設定情報管理装置１３に送信する。設定情報管理装置１３は、受信した生体情報と、設定情報データベース１４が記憶している生体情報とが合致するか否かを判定する。具体的には、例えば、設定情報データベース１４は、受信した生体情報と、設定情報データベース１４が記憶している生体情報とのパターンマッチングを行い、受信した生体情報と、設定情報データベース１４が記憶している生体情報とが合致するか否かを判定する。設定情報管理装置１３は、受信した生体情報と、設定情報データベース１４が記憶している生体情報とが合致すると判定すると設定情報データベース１４が記憶している生体情報に対応づけられた設定情報を設定情報データベース１４から読み出して情報端末１１に送信する。設定情報管理装置１３は、例えば、プログラムによって処理を実行するサーバによって実現され、判断手段、設定情報送信手段、不正使用判断手段および警報指示送信手段は、ＣＰＵによって実現される。情報端末２１，３１も、情報端末１１と同様に動作する。
【００２９】
情報端末１１，２１，３１には、設定情報管理装置１３から設定情報を受信すると、設定情報に従って、自端末の設定を変更する設定変更プログラムがインストールされている。そして、情報端末１１は、そのプログラムに従って、受信した設定情報にもとづいて動作環境を設定する。具体的には、例えば、受信した設定情報に応じてネットワーク接続情報ファイルの設定を変更して、設定されているＩＰアドレスを変更する。また、ファイルの入出力や外部機器のドライバの有効／無効の設定を行ったり、リンク情報ファイルへのアクセスを制限すること等によって他の装置が記憶しているファイル等へのアクセスを制限したりする。また、情報端末１１は、例えば、電子メールソフトウェアに設定されている電子メールアドレスを変更したりする。このように、使用者に応じて、ＩＰアドレスを変更したり、電子メールアドレスを変更したり、使用可能な外部機器やファイル等へのアクセスを制限したりすることができる。
【００３０】
設定情報管理装置１３は、コンピュータに、情報端末１１から身体の特徴を示す情報である生体情報を受信すると、予め生体情報と情報端末１１の動作環境を示す情報である設定情報と、使用を制限する機能を示す情報とを対応づけて記憶している設定情報データベース１４が記憶している生体情報と、受信した生体情報とが合致するか否か判断させる判断処理と、判断処理で、情報端末１１から受信した生体情報と設定情報データベース１４が記憶している生体情報とが合致すると判断すると、設定情報データベース１４が記憶している生体情報に対応づけられている設定情報を読み出して情報端末１１に送信させる設定情報送信処理とを実行させることを特徴とする情報端末設定管理プログラムを搭載している。
【００３１】
図１に示すシステム内には、電子メールアドレスが付与されている各人毎のメールボックスを備えたメールサーバ（図示せず）が存在するが、メールサーバは、設定情報管理装置１３と兼用されていてもよい。すなわち、設定情報管理装置１３がメールサーバ機能を内蔵してもよい。
【００３２】
本発明の実施の形態の動作について、図面を参照して説明する。図３は、本発明の実施の形態の動作を説明するフローチャートである。
【００３３】
情報端末１１と生体情報入力装置１２との電源が投入されると（ステップＳ１０１）、使用者は、生体情報入力装置１２に、生体情報としての使用者の顔画像を撮影させる（ステップＳ１０２）。
【００３４】
生体情報入力装置１２は、撮影した顔画像の情報を情報端末１１に入力する（ステップＳ１０３）。情報端末１１は、入力された顔画像の情報を、通信ネットワーク１５を介して設定情報管理装置１３に送信する（ステップＳ１０４）。
【００３５】
設定情報管理装置１３は、受信した顔画像の情報と設定情報データベース１４が記憶している生体情報としての顔画像の情報とが合致するか否かを判定し（ステップＳ１０５）、合致すると判定すると設定情報データベース１４が記憶している生体情報に対応づけられた設定情報を設定情報データベース１４から読み出す（ステップＳ１０６）。設定情報管理装置１３は、読み出した設定情報を、通信ネットワーク１５を介して情報端末１１に送信する（ステップＳ１０７）。
【００３６】
情報端末１１は、受信した設定情報を情報端末１１が内蔵する記憶手段に記憶させ、設定情報にもとづいて、動作環境を設定する（ステップＳ１０８）。そして、使用者が、情報端末１１の電源をオフにする操作を行うと（ステップＳ１０９）、情報端末１１は、設定変更プログラムに従って、動作環境を、初期状態、すなわち受信した設定情報にもとづいて設定変更がなされる前の状態に戻す（ステップＳ１１０）。さらに、情報端末１１は、設定情報を記憶手段から削除する（ステップＳ１１１）。情報端末１１は、情報端末１１と生体情報入力装置１２との電源をオフにする処理を行う（ステップＳ１１２）。
【００３７】
以上に述べたように、この実施の形態によれば、複数の使用者がそれぞれ設定情報データベース１４が記憶している設定情報に応じた動作環境で情報端末１１を使用することができる。そのため、外出勤務等が多い使用者や、情報端末１１を使用する時間帯が重複しない使用者の情報端末の数を削減することができ、オフィスや教育機関等において情報端末の設置にかける経費を削減することができる。なお、ここでは、情報端末１１の動作について説明を行ったが、情報端末２１，３１も、情報端末１１と同様に動作する。
【００３８】
実施の形態２．
本発明の第２の実施の形態について、図面を参照して説明する。図４は、本発明の第２の実施の形態の一構成例を示す説明図である。この実施の形態では、オフィスや教育機関等で、所定の期間においてそれぞれの携帯端末が１人の使用者に独占して使用され、所定期間が経過すると使用者が他者に変わるような環境を想定する。
【００３９】
本発明の第２の実施の形態は、情報端末４１、情報端末５１および情報端末６１が、無線通信を行う携帯端末によって実現される点が第１の実施の形態と異なる。また、情報端末４１、情報端末５１および情報端末６１は、設定情報管理装置１３と無線ＬＡＮで接続される点が第１の実施の形態と異なる。そのため、第１の実施の形態と同様な装置等には図１と同じ符号を付し、説明を省略する。なお、第１の実施の形態の場合と同様、通信ネットワーク１５は、ゲートウェイ（図示せず）によってインターネットに接続され、各情報端末４１，５１，６１は、インターネットに接続可能である。
【００４０】
生体情報入力装置１２は、情報端末４１に接続されている。生体情報入力装置２２は、情報端末５１に接続されている。生体情報入力装置３２は、情報端末６１に接続されている。生体情報入力装置１２，２２，３２は情報端末４１，５１，６１に内蔵されるカメラ等であってもよい。
【００４１】
携帯端末である情報端末４１、情報端末５１および情報端末６１は、設定情報にもとづいて電子メールアドレスおよびＩＰアドレスを変更する設定変更プログラムを搭載している。具体的には、例えば、情報端末４１の使用者が、情報端末４１を操作して生体情報を設定情報管理装置１３に送信すると、設定情報管理装置１３は、設定情報データベース１４が記憶している生体情報のうち、受信した生体情報に合致する生体情報に対応づけられた電子メールアドレスおよびＩＰアドレスを読み出して、読み出した電子メールアドレスおよびＩＰアドレスを設定情報として情報端末４１に送信する。
【００４２】
情報端末４１は、設定情報が示す電子メールアドレスおよびＩＰアドレスに従って、電子メールアドレスおよびＩＰアドレスを設定する。
【００４３】
次に、本発明の第２の実施の形態の動作について説明する。図５は、本発明の第２の実施の形態の動作を説明するフローチャートである。
【００４４】
情報端末４１と生体情報入力装置１２との電源が投入されると（ステップＳ２０１）、使用者は、生体情報入力装置１２に顔画像等の生体情報を入力する（ステップＳ２０２）。
【００４５】
生体情報入力装置１２は、入力された生体情報を情報端末４１に入力する（ステップＳ２０３）。情報端末４１は、入力された生体情報を、無線ＬＡＮを介して設定情報管理装置１３に送信する（ステップＳ２０４）。
【００４６】
設定情報管理装置１３は、受信した生体情報と設定情報データベース１４が記憶している生体情報とが合致するか否かを判定し（ステップＳ２０５）、合致すると判定すると設定情報データベース１４が記憶している生体情報に対応づけられた設定情報を設定情報データベース１４から読み出す（ステップＳ２０６）。設定情報管理装置１３は、読み出した設定情報を、通信ネットワーク１５を介して情報端末４１に送信する（ステップＳ２０７）。
【００４７】
情報端末４１は、受信した設定情報を情報端末４１が内蔵する記憶手段に記憶させ、設定情報にもとづいて、動作環境を設定する（ステップＳ２０８）。使用者が、情報端末４１の電源をオフにする操作を行うと（ステップＳ２０９）、情報端末４１は、動作環境を初期状態に戻す（ステップＳ２１０）。さらに、情報端末４１は、設定情報を記憶手段から削除する（ステップＳ２１１）。情報端末４１は、情報端末４１と生体情報入力装置１２との電源をオフにする処理を行う（ステップＳ２１２）。
【００４８】
以上のように、情報端末４１が携帯端末であっても、複数の使用者がそれぞれ設定情報データベース１４が記憶している設定情報に応じた動作環境で情報端末４１を使用することができる。なお、ここでは、情報端末４１の動作について説明を行ったが、情報端末５１，６１も、情報端末４１と同様に動作する。
【００４９】
また、情報端末４１，５１，６１として、無線ＬＡＮ通信機能を搭載するとともに端末電話番号によって公衆無線電話網にアクセスすることも可能な携帯電話機を用いてもよい。その場合、例えば設定情報管理装置１３に内蔵されているメールサーバ機能を用いるのではなく、公衆無線電話網の運営会社のシステム側に存在するメールサーバ機能と、公衆無線電話網の運営会社のシステム側で記憶される電子メールアドレスとを利用することもできる。そのような利用形態では、情報端末４１，５１，６１の使用者は、例えば手入力で電子メールアドレスを変更する。
【００５０】
第１の実施の形態において、情報端末はパーソナルコンピュータであったが、以上に述べたように、この実施の形態によれば、情報端末としての携帯端末に本発明を適用することができる。また、本発明は、第１の実施の形態と、第２の実施の形態とを組み合わせて実施してもよい。具体的には、少なくとも１つ以上の情報端末がパーソナルコンピュータであって、他の情報端末が携帯端末であってもよい。
【００５１】
なお、上述した各実施の形態では、同一人物が、生体情報を複数の情報端末を介して設定情報管理装置１３に送信すると、それらの複数の情報端末に同じＩＰアドレスが設定されてしまう。そこで、情報端末４１、情報端末５１および情報端末６１は、ＧＰＳ（Ｇｌｏｂａｌ  Ｐｏｓｉｔｉｏｎｉｎｇ  Ｓｙｓｔｅｍ）信号を受信して位置を特定する機能と、位置を示す情報を生成する機能とを備えていてもよい。そして、情報端末は、位置を示す情報を生体情報に対応づけて設定情報管理装置１３に送信する。
【００５２】
設定情報管理装置１３は、同時または近接する時間（例えば１分以内）に、地理的に離れている複数の情報端末から同様な生体情報を受信すると、受信した生体情報と、設定情報データベース１４が記憶している生体情報とが合致しても、生体情報に対応づけられた設定情報を情報端末４１に送信する代わりに、例えば情報端末４１に警報等の警告を発生させる指示を示す情報を各々の情報端末に送信する。各々の情報端末は、指示に応じて警報を発する。そのような構成によって、複数の情報端末に同じＩＰアドレスが設定されることを防いだり、同一人物が複数の情報端末４１を使用することを防止したり、不正使用を防止したりすることができる。
【産業上の利用可能性】
【００５３】
本発明は、外出勤務等が多い使用者や、情報端末を使用する時間帯が重複しない使用者がいるオフィスや教育機関等に適用することができる。
【図面の簡単な説明】
【００５４】
【図１】本発明の第１の実施の形態の一構成例を示す説明図である。
【図２】設定情報データベースが記憶している生体情報と設定情報との例を示す説明図である。
【図３】本発明の第１の実施の形態の動作を説明するフローチャートである。
【図４】本発明の第２の実施の形態の一構成例を示す説明図である。
【図５】本発明の第２の実施の形態の動作を説明するフローチャートである。
【符号の説明】
【００５５】
１１、２１、３１、４１、５１、６１  情報端末
１２、２２、３２  生体情報入力装置
１３  設定情報管理装置
１４  設定情報データベース
【図１】
2006113953.tif 000003
【図２】
2006113953.tif 000004
【図３】
2006113953.tif 000005
【図４】
2006113953.tif 000006
【図５】
2006113953.tif 000007